(57)【要約】【課題】デジタルコンテンツの譲渡に際して著作権の侵害を防止できる。【解決手段】端末間でのデジタルコンテンツの譲渡を管理するシステムであって、  デジタルコンテンツを譲渡した端末の記憶装置から、このデジタルコンテンツを使用するのに必須な情報が削除されていることを確認する手段と、  デジタルコンテンツを譲り受けた端末の記憶装置に、このデジタルコンテンツを使用するのに必須な情報が保持されていることを確認する手段とを備えることを特徴とするデジタルコンテンツ譲渡管理システム。【選択図】図４
2013250724.tif 000002
【特許請求の範囲】
【請求項１】
端末間でのデジタルコンテンツの譲渡を管理するシステムであって、
デジタルコンテンツを譲渡した端末の記憶装置から、このデジタルコンテンツを使用するのに必須な情報が削除されていることを確認する手段と、
デジタルコンテンツを譲り受けた端末の記憶装置に、このデジタルコンテンツを使用するのに必須な情報が保持されていることを確認する手段とを備えることを特徴とするデジタルコンテンツ譲渡管理システム。
【請求項２】
デジタルコンテンツを使用するのに必須な情報は、デジタルコンテンツそのものと、端末にて、このデジタルコンテンツを使用可能にする情報とからなることを特徴とする請求項１記載のデジタルコンテンツ譲渡管理システム。
【請求項３】
デジタルコンテンツを使用するのに必須な情報は、サーバにて保存され管理されているデジタルコンテンツへのアクセス権と、端末にて、このアクセス権でアクセスしてデジタルコンテンツを使用可能にする情報とからなることを特徴とする請求項１記載のデジタルコンテンツ譲渡管理システム。
【請求項４】
端末間でのデジタルコンテンツの譲渡を管理するシステムが実行する方法であって、
デジタルコンテンツを譲渡した端末の記憶装置から、このデジタルコンテンツを使用するのに必須な情報が削除されていることを確認する工程と、
デジタルコンテンツを譲り受けた端末の記憶装置に、このデジタルコンテンツを使用するのに必須な情報が保持されていることを確認する工程とを含むことを特徴とするデジタルコンテンツ譲渡管理方法。
【請求項５】
デジタルコンテンツを使用するのに必須な情報は、デジタルコンテンツそのものと、端末にて、このデジタルコンテンツを使用可能にする情報とからなることを特徴とする請求項４記載のデジタルコンテンツ譲渡管理方法。
【請求項６】
デジタルコンテンツを使用するのに必須な情報は、サーバにて保存され管理されているデジタルコンテンツへのアクセス権と、端末にて、このアクセス権でアクセスしてデジタルコンテンツを使用可能にする情報とからなることを特徴とする請求項４記載のデジタルコンテンツ譲渡管理方法。
【請求項７】
端末間でのデジタルコンテンツの譲渡を管理するシステムに、
デジタルコンテンツを譲渡した端末の記憶装置から、このデジタルコンテンツを使用するのに必須な情報が削除されていることを確認する工程と、
デジタルコンテンツを譲り受けた端末の記憶装置に、このデジタルコンテンツを使用するのに必須な情報が保持されていることを確認する工程とを実行させることを特徴とするデジタルコンテンツ譲渡管理プログラム。
【請求項８】
デジタルコンテンツを使用するのに必須な情報は、デジタルコンテンツそのものと、端末にて、このデジタルコンテンツを使用可能にする情報とからなることを特徴とする請求項７記載のデジタルコンテンツ譲渡管理プログラム。
【請求項９】
デジタルコンテンツを使用するのに必須な情報は、サーバにて保存され管理されているデジタルコンテンツへのアクセス権と、端末にて、このアクセス権でアクセスしてデジタルコンテンツを使用可能にする情報とからなることを特徴とする請求項７記載のデジタルコンテンツ譲渡管理プログラム。
【発明の詳細な説明】
【技術分野】
【０００１】
本発明は、デジタルコンテンツを譲渡する技術に関する。以後、単にコンテンツと云えば、デジタルコンテンツを意味するものとする。
【背景技術】
【０００２】
従来から、コンテンツの販売に際して、コンテンツに購入者の署名データを埋め込み、コンテンツを購入者に送信中に盗まれても、署名データを入力しなければ解凍して再生できないようにする技術が知られている（例えば特許文献１参照）。
【０００３】
しかしながら、この技術は、購入したコンテンツを、コピーして、複数の譲受人に譲渡したり、譲渡した筈のコンテンツを譲渡人の手元に置き使用したりする不正を防止できず、著作権を守ることができなかった。
【先行技術文献】
【特許文献】
【０００４】
【特許文献１】特開２００５−６２１１９号公報
【発明の概要】
【発明が解決しようとする課題】
【０００５】
本発明は、このような事情を考慮してなされたもので、コンテンツの譲渡に際して著作権の侵害を防止できるようにすることを課題とする。
【課題を解決するための手段】
【０００６】
本発明において上記課題を解決するために、まず請求項１の発明では、
端末間でのデジタルコンテンツの譲渡を管理するシステムであって、
デジタルコンテンツを譲渡した端末の記憶装置から、このデジタルコンテンツを使用するのに必須な情報が削除されていることを確認する手段と、
デジタルコンテンツを譲り受けた端末の記憶装置に、このデジタルコンテンツを使用するのに必須な情報が保持されていることを確認する手段とを備えることを特徴とするデジタルコンテンツ譲渡管理システムとしたものである。
【０００７】
また請求項２の発明では、
デジタルコンテンツを使用するのに必須な情報は、デジタルコンテンツそのものと、端末にて、このデジタルコンテンツを使用可能にする情報とからなることを特徴とする請求項１記載のデジタルコンテンツ譲渡管理システムとしたものである。
【０００８】
また請求項３の発明では、
デジタルコンテンツを使用するのに必須な情報は、サーバにて保存され管理されているデジタルコンテンツへのアクセス権と、端末にて、このアクセス権でアクセスしてデジタルコンテンツを使用可能にする情報とからなることを特徴とする請求項１記載のデジタルコンテンツ譲渡管理システムとしたものである。
【０００９】
また請求項４の発明では、
端末間でのデジタルコンテンツの譲渡を管理するシステムが実行する方法であって、
デジタルコンテンツを譲渡した端末の記憶装置から、このデジタルコンテンツを使用するのに必須な情報が削除されていることを確認する工程と、
デジタルコンテンツを譲り受けた端末の記憶装置に、このデジタルコンテンツを使用するのに必須な情報が保持されていることを確認する工程とを含むことを特徴とするデジタルコンテンツ譲渡管理方法としたものである。
【００１０】
また請求項５の発明では、
デジタルコンテンツを使用するのに必須な情報は、デジタルコンテンツそのものと、端末にて、このデジタルコンテンツを使用可能にする情報とからなることを特徴とする請求項４記載のデジタルコンテンツ譲渡管理方法としたものである。
【００１１】
また請求項６の発明では、
デジタルコンテンツを使用するのに必須な情報は、サーバにて保存され管理されているデジタルコンテンツへのアクセス権と、端末にて、このアクセス権でアクセスしてデジタルコンテンツを使用可能にする情報とからなることを特徴とする請求項４記載のデジタルコンテンツ譲渡管理方法。
【００１２】
また請求項７の発明では、
端末間でのデジタルコンテンツの譲渡を管理するシステムに、
デジタルコンテンツを譲渡した端末の記憶装置から、このデジタルコンテンツを使用するのに必須な情報が削除されていることを確認する工程と、
デジタルコンテンツを譲り受けた端末の記憶装置に、このデジタルコンテンツを使用するのに必須な情報が保持されていることを確認する工程とを実行させることを特徴とするデジタルコンテンツ譲渡管理プログラムとしたものである。
【００１３】
また請求項８の発明では、
デジタルコンテンツを使用するのに必須な情報は、デジタルコンテンツそのものと、端末にて、このデジタルコンテンツを使用可能にする情報とからなることを特徴とする請求項７記載のデジタルコンテンツ譲渡管理プログラムとしたものである。
【００１４】
。
また請求項９の発明は、
デジタルコンテンツを使用するのに必須な情報は、サーバにて保存され管理されているデジタルコンテンツへのアクセス権と、端末にて、このアクセス権でアクセスしてデジタルコンテンツを使用可能にする情報とからなることを特徴とする請求項７記載のデジタルコンテンツ譲渡管理プログラムとしたものである。
【発明の効果】
【００１５】
本発明は、デジタルコンテンツを譲渡した端末の記憶装置から、このデジタルコンテンツを使用するのに必須な情報が削除されていることを確認し、デジタルコンテンツを譲り受けた端末の記憶装置に、このデジタルコンテンツを使用するのに必須な情報が保持されていることを確認するのであるから、購入したコンテンツは、一人の譲受人のみに譲渡可能であり、譲渡人は、譲渡したコンテンツを使用できないという効果がある。
【００１６】
従って、本発明は、コンテンツの譲渡に際して著作権の侵害を防止できるという効果がある。
【図面の簡単な説明】
【００１７】
【図１】本発明の第１の実施形態を構成するハードウェアを示す図。
【図２】本発明の第１の実施形態で、端末Ａが、コンテンツαを、コンテンツ管理サーバから購入して、端末Ｂに譲渡するためになされる処理の流れの例を示すフローチャート。
【図３】本発明の第２の実施形態を構成するハードウェアを示す図。
【図４】本発明の第２の実施形態で、端末Ａが、コンテンツαを、コンテンツ管理サーバから購入して、端末Ｂに譲渡するためになされる処理の流れの例を示すフローチャート。
【発明を実施するための形態】
【００１８】
以下に、本発明の二つの実施形態を説明する。
【００１９】
１．第１の実施形態
本発明の第１の実施形態に係わるデジタルコンテンツ譲渡管理システムは、図１に示すように、コンテンツ管理サーバ、ＤＢサーバ、複数の端末を備え、コンテンツ管理サーバ、ＤＢサーバ、各端末がネットワークに接続されるものである。
【００２０】
端末は、コンテンツを、コンテンツ管理サーバから購入、或いは、他の端末から譲り受けて取得して使用可能なもので、このコンテンツは、他の端末へ譲渡後、削除されて、使用不可となる。
【００２１】
端末は、その記憶装置に、コンテンツごとに、コンテンツ取得情報、コンテンツ、コンテンツ読取情報、コンテンツ管理情報、コンテンツ譲渡情報を保持する。
【００２２】
コンテンツ取得情報は、日時、著作権者、文書Ｎｏ．などを含む。日時は、コンテンツを取得した日時である。著作権者は、取得したコンテンツの著作権を有する者の情報であり、文書Ｎｏ．は、取得したコンテンツを唯一に識別する情報であって、いずれも取得したコンテンツを特定する情報である。
【００２３】
コンテンツは、コンテンツそのものであり、他の端末へ譲渡されると削除される。
【００２４】
コンテンツ読取情報は、使用履歴などを含み、使用履歴は、取得したコンテンツを使用した履歴である。
【００２５】
コンテンツ管理情報は、取得したコンテンツを、取得した端末のみで使用可能にする情報などを含み、コンテンツが他の端末へ譲渡されると、コンテンツと一緒に削除される。
【００２６】
コンテンツ譲渡情報は、コンテンツの削除情報などを含み、コンテンツが他の端末へ譲渡されると生成される情報である。
【００２７】
端末の記憶装置に、コンテンツとともにコンテンツ管理情報が保持されていると、この端末で、このコンテンツの使用が可能となる。但し、使用履歴に、コンテンツの譲渡による削除、コンテンツの購入或いは譲り受けによる取得を記録し、端末の記憶装置に、コンテンツとともにコンテンツ管理情報が保持されていても、使用履歴に、削除が記録されていて、削除が記録された後に、取得が記録されていなければ、コンテンツの使用を不可としても良い。このようにすることにより、コンテンツを譲渡する前に、端末の記憶装置からコンテンツとコンテンツ管理情報とをパソコン等にコピーし、コンテンツを譲渡した後に、コピーしたコンテンツとコンテンツ管理情報とを、端末の記憶装置に戻して、コンテンツを使用するという不正を防止することができる。
【００２８】
ＤＢサーバは、異なる端末間でのコンテンツの譲渡を管理するものであって、取引情報などの情報を保持するデータベースを有する。
【００２９】
取引情報は、どのコンテンツが、どの端末から、どの端末に譲渡されたかに係わる情報であって、項目として、例えば、「文書Ｎｏ．」、「譲渡端末」、「譲受端末」、「取引開始確認」、「譲渡端末削除情報確認」、「譲受端末取得情報確認」などが含まれる。
【００３０】
項目「文書Ｎｏ．」の値は、譲渡されたコンテンツを唯一に識別する情報である文書Ｎｏ．である。
【００３１】
項目「譲渡端末」の値は、コンテンツを譲渡した端末を唯一に識別する情報であって、例えば、この端末のＭＡＣアドレスなどのＩＤである。
【００３２】
項目「譲受端末」の値は、コンテンツを譲り受けた端末を唯一に識別する情報であって、例えば、この端末のＭＡＣアドレスなどのＩＤである。
【００３３】
項目「取引開始確認」の値は、コンテンツを譲渡する取引の開始を確認したことを示す情報であって、例えば、この取引を開始した日時である。
【００３４】
項目「譲渡端末削除情報確認」の値は、コンテンツを譲渡した端末の記憶装置からコンテンツとコンテンツ管理情報とが削除されたことを確認したことを示す情報であって、例えば、この削除を確認した日時である。
【００３５】
項目「譲受端末取得情報確認」の値は、コンテンツを譲り受けた端末にコンテンツとコンテンツ管理情報とが取得されたことを確認したことを示す情報であって、例えば、この端末の記憶装置に、これらコンテンツとコンテンツ管理情報とが保持されていることを確認した日時である。
【００３６】
ＤＢサーバは、取引情報に、ある端末が、あるコンテンツを譲渡した後に、このコンテンツを譲り受けた記録がないにもかかわらず、この端末が、このコンテンツを譲渡しようとした場合、このコンテンツの譲渡を拒絶しても良い。このようにすることにより、コンテンツを譲渡する前に、端末の記憶装置からコンテンツとコンテンツ管理情報とをパソコン等にコピーし、コンテンツを譲渡した後に、コピーしたコンテンツとコンテンツ管理情報とを、端末の記憶装置に戻して、再びコンテンツを譲渡するという不正を防止することができる。
【００３７】
コンテンツ管理サーバは、複数のコンテンツを管理して、端末へコンテンツを販売し、端末に、販売したコンテンツそのものを渡すものである。
【００３８】
以下に、ある端末（以後端末Ａと云う）が、あるコンテンツ（以後コンテンツαと云う）を、コンテンツ管理サーバから購入して、他の端末（以後端末Ｂと云う）に譲渡するためになされる処理の流れの例を、図２のフローチャートに従って説明する。
【００３９】
Ｓ（ＳＴＥＰ）１；
コンテンツ管理サーバは、端末Ａに、コンテンツαと、コンテンツα管理情報と、文書Ｎｏ．や著作権者などコンテンツαを特定する情報とを送信して、コンテンツαを販売し、端末Ａは、コンテンツ管理サーバから、コンテンツαと、コンテンツα管理情報と、文書Ｎｏ．や著作権者などコンテンツαを特定する情報とを受信すると、コンテンツαとコンテンツα管理情報とを記憶装置に保持し、コンテンツαを特定する情報については、コンテンツαを取得した日時とともに、コンテンツα取得情報として記憶装置に保持し、さらに、コンテンツα読取情報を記憶装置に生成して、その使用履歴に取得を記録する。
【００４０】
Ｓ（ＳＴＥＰ）２；
端末Ａは、ユーザにコンテンツαを使用させ、その使用を、コンテンツα読取情報の使用履歴に記録する。
【００４１】
Ｓ（ＳＴＥＰ）３；
端末Ａは、コンテンツαの端末Ｂへの譲渡が入力されると、ＤＢサーバに、端末ＡのＩＤと、端末ＢのＩＤと、コンテンツαと、コンテンツα管理情報と、文書Ｎｏ．や著作権者などコンテンツαを特定する情報とを送信して、コンテンツαを端末Ｂへ譲渡することを送信する。
【００４２】
Ｓ（ＳＴＥＰ）４；
ＤＢサーバは、端末Ａから、端末ＡのＩＤと、端末ＢのＩＤと、コンテンツαと、コンテンツα管理情報と、文書Ｎｏ．や著作権者などコンテンツαを特定する情報とを受信して、コンテンツαを端末Ｂへ譲渡することを受信すると、取引開始の日時として、この譲渡することを受信した日時を一時記憶する。
【００４３】
Ｓ（ＳＴＥＰ）５；
ＤＢサーバは、端末Ａに、コンテンツαの端末Ｂへ譲渡することを確認したことを送信する。
【００４４】
Ｓ（ＳＴＥＰ）６；
端末Ａは、ＤＢサーバから、コンテンツαの端末Ｂへ譲渡することを確認したことを受信すると、コンテンツαとコンテンツα管理情報とを削除するとともに、コンテンツα読取情報の使用履歴に削除を記録し、コンテンツα譲渡情報を記憶装置に生成し、ＤＢサーバに、コンテンツαとコンテンツα管理情報とを削除したことを送信する。
【００４５】
Ｓ（ＳＴＥＰ）７；
ＤＢサーバは、端末Ａから、コンテンツαとコンテンツα管理情報とを削除したことを受信すると、端末Ａの記憶装置にアクセスして、実際に、コンテンツαとコンテンツα管理情報とが削除されたことを確認し、この削除を確認した日時を一時記憶する。
【００４６】
Ｓ（ＳＴＥＰ）８；
ＤＢサーバは、コンテンツαと、コンテンツα管理情報と、文書Ｎｏ．や著作権者などコンテンツαを特定する情報とを、端末Ｂに送信し、端末Ｂは、ＤＢサーバから、コンテンツαと、コンテンツα管理情報と、文書Ｎｏ．や著作権者などコンテンツαを特定する情報とを受信すると、コンテンツαとコンテンツα管理情報とを記憶装置に保持し、コンテンツαを特定する情報については、コンテンツαを取得した日時とともに、コンテンツα取得情報として記憶装置に保持し、コンテンツα読取情報を記憶装置に生成して、その使用履歴に取得を記録し、さらに、ＤＢサーバに、コンテンツαを取得したことを送信する。
【００４７】
Ｓ（ＳＴＥＰ）９；
ＤＢサーバは、端末Ｂから、コンテンツαを取得したことを受信すると、端末Ｂの記憶装置にアクセスして、実際に、コンテンツαとコンテンツα管理情報とが取得されて保持されていることを確認し、この保持を確認した日時を一時記憶する。
【００４８】
Ｓ（ＳＴＥＰ）１０；
ＤＢサーバは、取引が完了したとして、項目「文書Ｎｏ．」の値としてコンテンツαの文書Ｎｏ．と、項目「譲渡端末」の値として端末ＡのＩＤと、項目「譲受端末」の値として端末ＢのＩＤと、項目「取引開始確認」の値として取引開始日時と、項目「譲渡端末削除情報確認」の値として削除を確認した日時と、項目「譲受端末取得情報確認」の値とし
て保持を確認した日時とからなる取引情報をデータベースに登録する。
【００４９】
Ｓ（ＳＴＥＰ）１１；
端末Ｂは、ユーザにコンテンツαを使用させ、その使用を、コンテンツα読取情報の使用履歴に記録する。
【００５０】
端末Ｂが、他の端末（以後端末Ｃと云う）に、コンテンツαを譲渡する場合には、上記のＳＴＥＰ３〜１０の処理で、端末Ａを端末Ｂと読み換え、端末Ｂを端末Ｃと読み換えた処理を行って、この譲渡を実行する。但し、端末Ｃが、コンテンツαを譲渡した後に譲り受ける場合、すなわち端末Ｃが端末Ａの場合には、その記憶装置に既にコンテンツα読取情報を記憶しているので、新たにコンテンツα読取情報を生成することなく、その記憶装置に既に記憶しているコンテンツα読取情報の使用履歴に取得を記録することになる。
【００５１】
尚、ＤＢサーバは、コンテンツの譲渡に際して決済を行っても良い。その際、一定のレーティングを行うことで原価と異なる価格を提示しても良い。
【００５２】
２．第２の実施形態
本発明の第２の実施形態に係わるデジタルコンテンツ譲渡管理システムは、図３に示すように、コンテンツ管理サーバ、複数の端末を備え、コンテンツ管理サーバ、各端末がネットワークに接続されるものである。
【００５３】
端末は、コンテンツ管理サーバで保存され管理されているコンテンツのアクセス権を、このコンテンツをコンテンツ管理サーバから購入、或いは、このコンテンツを他の端末から譲り受けて取得して、このアクセス権により、このコンテンツにアクセスして、このコンテンツを使用可能なもので、このアクセス権は、このコンテンツを他の端末へ譲渡後、削除されて、このコンテンツが使用不可となるものである。
【００５４】
端末は、その記憶装置に、コンテンツごとに、コンテンツ取得情報、コンテンツのアクセス権と、コンテンツ読取情報、コンテンツ管理情報、コンテンツ譲渡情報とを保持する。
【００５５】
コンテンツ取得情報は、日時、著作権者、文書Ｎｏ．などを含む。日時は、コンテンツのアクセス権を取得した日時である。著作権者は、アクセス権を取得したコンテンツの著作権を有する者の情報であり、文書Ｎｏ．は、アクセス権を取得したコンテンツを唯一に識別する情報であって、いずれもアクセス権を取得したコンテンツを特定する情報である。
【００５６】
コンテンツのアクセス権は、コンテンツ管理サーバで保存され管理されている、このコンテンツにアクセスできる権利を示す情報であって、このコンテンツが他の端末へ譲渡されると削除される。
【００５７】
コンテンツ読取情報は、使用履歴などを含み、使用履歴は、アクセス権を取得したコンテンツを使用した履歴である。
【００５８】
コンテンツ管理情報は、取得したコンテンツのアクセス権を、取得した端末のみで使用して、コンテンツ管理サーバで保存され管理されている、このコンテンツにアクセスして使用可能にする情報などを含み、このコンテンツが他の端末へ譲渡されると、コンテンツのアクセス権と一緒に削除される。
【００５９】
コンテンツ譲渡情報は、コンテンツのアクセス権の削除情報などを含み、コンテンツが
他の端末へ譲渡されると生成される情報である。
【００６０】
端末の記憶装置に、コンテンツのアクセス権とともにコンテンツ管理情報が保持されていると、この端末で、このアクセス権により、コンテンツ管理サーバで保存され管理されている、このコンテンツにアクセスして、このコンテンツの使用が可能となる。但し、使用履歴に、コンテンツの譲渡による削除、コンテンツの取得を記録し、端末の記憶装置に、コンテンツのアクセス権とともにコンテンツ管理情報が保持されていても、使用履歴に、削除が記録されていて、削除が記録された後に、取得が記録されていなければ、コンテンツの使用を不可としても良い。このようにすることにより、コンテンツを譲渡する前に、端末の記憶装置からコンテンツのアクセス権とコンテンツ管理情報とをパソコン等にコピーし、コンテンツを譲渡した後に、コピーしたコンテンツのアクセス権とコンテンツ管理情報とを、端末の記憶装置に戻して、コンテンツを使用するという不正を防止することができる。
【００６１】
コンテンツ管理サーバは、複数のコンテンツを管理して端末へ販売し、端末には、販売したコンテンツを渡す代わりに、このコンテンツのアクセス権を渡し、このコンテンツのアクセス権を管理するものである。
【００６２】
コンテンツのアクセス権の管理は、端末を唯一に識別する情報（例えばＭＡＣアドレスなどのＩＤ）と、この端末がアクセス権を取得したコンテンツとを紐付けるテーブル、例えば、端末のＩＤと、このコンテンツを唯一に識別する情報である文書Ｎｏ．との組を記録するテーブルを、コンテンツ管理サーバが保持することにより行う。端末のＩＤの代わりに、このＩＤから求めたｈａｓｈ値を記録しても良い。以後、このテーブルを、アクセス権管理テーブルとも云う。
【００６３】
コンテンツ管理サーバは、ある端末から、あるコンテンツへのアクセスを、この端末のＩＤと、このコンテンツの文書Ｎｏ．との組がアクセス権管理テーブルに登録されている場合のみ、認める。
【００６４】
また、コンテンツ管理サーバは、異なる端末間でのコンテンツの譲渡を管理するものでもあって、取引情報などの情報を保持するデータベースを有する。
【００６５】
取引情報は、どのコンテンツが、どの端末から、どの端末に譲渡されたかに係わる情報であって、項目として、例えば、「文書Ｎｏ．」、「譲渡端末」、「譲受端末」、「取引開始確認」、「譲渡端末削除情報確認」、「譲受端末取得情報確認」などが含まれる。
【００６６】
項目「文書Ｎｏ．」の値は、譲渡されたコンテンツを唯一に識別する情報である文書Ｎｏ．である。
【００６７】
項目「譲渡端末」の値は、コンテンツを譲渡した端末を唯一に識別する情報であって、例えば、この端末のＭＡＣアドレスなどのＩＤである。
【００６８】
項目「譲受端末」の値は、コンテンツを譲り受けた端末を唯一に識別する情報であって、例えば、この端末のＭＡＣアドレスなどのＩＤである。
【００６９】
項目「取引開始確認」の値は、コンテンツを譲渡する取引の開始を確認したことを示す情報であって、例えば、この取引を開始した日時である。
【００７０】
項目「譲渡端末削除情報確認」の値は、コンテンツを譲渡した端末の記憶装置からコンテンツのアクセス権とコンテンツ管理情報とが削除されたことを確認したことを示す情報
であって、例えば、この削除を確認した日時である。
【００７１】
項目「譲受端末取得情報確認」の値は、コンテンツを譲り受けた端末にコンテンツのアクセス権とコンテンツ管理情報とが取得されたことを確認したことを示す情報であって、例えば、この端末の記憶装置に、これらコンテンツのアクセス権とコンテンツ管理情報とが保持されていることを確認した日時である。
【００７２】
コンテンツ管理サーバは、取引情報に、ある端末が、あるコンテンツを譲渡した後に、このコンテンツを譲り受けた記録がないにもかかわらず、この端末が、このコンテンツを譲渡しようとした場合、このコンテンツの譲渡を拒絶しても良い。このようにすることにより、コンテンツを譲渡する前に、端末の記憶装置からコンテンツのアクセス権とコンテンツ管理情報とをパソコン等にコピーし、コンテンツを譲渡した後に、コピーしたコンテンツのアクセス権とコンテンツ管理情報とを、端末の記憶装置に戻して、再びコンテンツを譲渡するという不正を防止することができる。
【００７３】
以下に、ある端末（以後端末Ａと云う）が、あるコンテンツ（以後コンテンツαと云う）を、コンテンツ管理サーバから購入して、他の端末（以後端末Ｂと云う）に譲渡するためになされる処理の流れの例を、図４のフローチャートに従って説明する。
【００７４】
Ｓ（ＳＴＥＰ）１；
コンテンツ管理サーバは、端末Ａに、コンテンツαのアクセス権と、コンテンツα管理情報と、文書Ｎｏ．や著作権者などコンテンツαを特定する情報とを送信して、コンテンツαを販売するとともに、端末ＡのＩＤと、コンテンツαの文書Ｎｏ．との組をアクセス管理テーブルに登録し、端末Ａは、コンテンツ管理サーバから、コンテンツαのアクセス権と、コンテンツα管理情報と、文書Ｎｏ．や著作権者などコンテンツαを特定する情報とを受信すると、コンテンツαのアクセス権とコンテンツα管理情報とを記憶装置に保持し、コンテンツαを特定する情報については、コンテンツαのアクセス権を取得した日時とともに、コンテンツα取得情報として記憶装置に保持し、さらに、コンテンツα読取情報を記憶装置に生成して、その使用履歴に取得を記録する。
【００７５】
Ｓ（ＳＴＥＰ）２；
端末Ａは、ユーザにコンテンツαを使用させ、その使用を、コンテンツα読取情報の使用履歴に記録する。
【００７６】
Ｓ（ＳＴＥＰ）３；
端末Ａは、コンテンツαの端末Ｂへの譲渡が入力されると、コンテンツ管理サーバに、端末ＡのＩＤと、端末ＢのＩＤと、コンテンツαのアクセス権と、コンテンツα管理情報と、文書Ｎｏ．や著作権者などコンテンツαを特定する情報とを送信して、コンテンツαを端末Ｂへ譲渡することを送信する。
【００７７】
Ｓ（ＳＴＥＰ）４；
コンテンツ管理サーバは、端末Ａから、端末ＡのＩＤと、端末ＢのＩＤと、コンテンツαのアクセス権と、コンテンツα管理情報と、文書Ｎｏ．や著作権者などコンテンツαを特定する情報とを受信して、コンテンツαを端末Ｂへ譲渡することを受信すると、取引開始の日時として、この譲渡することを受信した日時を一時記憶する。
【００７８】
Ｓ（ＳＴＥＰ）５；
コンテンツ管理サーバは、端末Ａに、コンテンツαを端末Ｂへ譲渡することを確認したことを送信する。
【００７９】
Ｓ（ＳＴＥＰ）６；
端末Ａは、コンテンツ管理サーバから、コンテンツαを端末Ｂへ譲渡することを確認したことを受信すると、コンテンツαのアクセス権とコンテンツα管理情報とを削除するとともに、コンテンツα読取情報の使用履歴に削除を記録し、コンテンツα譲渡情報を記憶装置に生成し、ＤＢサーバに、コンテンツαのアクセス権とコンテンツα管理情報とを削除したことを送信する。
【００８０】
Ｓ（ＳＴＥＰ）７；
コンテンツ管理サーバは、端末Ａから、コンテンツαのアクセス権とコンテンツα管理情報とを削除したことを受信すると、端末Ａの記憶装置にアクセスして、実際に、コンテンツαのアクセス権とコンテンツα管理情報とが削除されたことを確認し、この削除を確認した日時を一時記憶する。
【００８１】
Ｓ（ＳＴＥＰ）８；
コンテンツ管理サーバは、コンテンツαのアクセス権と、コンテンツα管理情報と、文書Ｎｏ．や著作権者などコンテンツαを特定する情報とを、端末Ｂに送信し、端末Ｂは、コンテンツ管理サーバから、コンテンツαのアクセス権と、コンテンツα管理情報と、文書Ｎｏ．や著作権者などコンテンツαを特定する情報とを受信すると、コンテンツαのアクセス権とコンテンツα管理情報とを記憶装置に保持し、コンテンツαを特定する情報については、コンテンツαのアクセス権を取得した日時とともに、コンテンツα取得情報として記憶装置に保持し、コンテンツα読取情報を記憶装置に生成して、その使用履歴に取得を記録し、さらに、コンテンツ管理サーバに、コンテンツαのアクセス権を取得したことを送信する。
【００８２】
Ｓ（ＳＴＥＰ）９；
コンテンツ管理サーバは、端末Ｂから、コンテンツαのアクセス権を取得したことを受信すると、端末Ｂの記憶装置にアクセスして、実際に、コンテンツαのアクセス権とコンテンツα管理情報とが取得されて保持されていることを確認し、この保持を確認した日時を一時記憶する。
【００８３】
Ｓ（ＳＴＥＰ）１０；
コンテンツ管理サーバは、取引が完了したとして、項目「文書Ｎｏ．」の値としてコンテンツαの文書Ｎｏ．と、項目「譲渡端末」の値として端末ＡのＩＤと、項目「譲受端末」の値として端末ＢのＩＤと、項目「取引開始確認」の値として取引開始日時と、項目「譲渡端末削除情報確認」の値として削除を確認した日時と、項目「譲受端末取得情報確認」の値として保持を確認した日時とからなる取引情報をデータベースに登録するとともに、アクセス権管理テーブルにおいて、コンテンツαの文書Ｎｏ．と組になっている端末ＡのＩＤを、端末ＢのＩＤに更新する。
【００８４】
Ｓ（ＳＴＥＰ）１１；
端末Ｂは、ユーザにコンテンツαを使用させ、その使用を、コンテンツα読取情報の使用履歴に記録する。
【００８５】
端末Ｂが、他の端末（以後端末Ｃと云う）に、コンテンツαを譲渡する場合には、上記のＳＴＥＰ３〜１０の処理で、端末Ａを端末Ｂと読み換え、端末Ｂを端末Ｃと読み換えた処理を行って、この譲渡を実行する。但し、端末Ｃが、コンテンツαを譲渡した後に譲り受ける場合、すなわち端末Ｃが端末Ａの場合には、その記憶装置に既にコンテンツα読取情報を記憶しているので、新たにコンテンツα読取情報を生成することなく、その記憶装置に既に記憶しているコンテンツα読取情報の使用履歴に取得を記録することになる。
【００８６】
尚、コンテンツ管理サーバは、コンテンツの譲渡に際して決済を行っても良い。その際、一定のレーティングを行うことで原価と異なる価格を提示しても良い。
【図１】
2013250724.tif 000003
【図２】
2013250724.tif 000004
【図３】
2013250724.tif 000005
【図４】
2013250724.tif 000006